(57)【要約】【課題】バルコニーの出幅を確保しつつ、壁への漏水を抑えることが可能な排水ドレイン管を提供する。【解決手段】排水ドレイン管４は、バルコニーの壁に設けられ、バルコニー内の水をバルコニー外に排水するものであり、壁内のバルコニー側に設けられる第一の管部２０ａと、第一の管部２０ａに連通し、壁内からバルコニー外に延設される第二の管部２０ｂと、を備え、第二の管部２０ｂの水勾配は、第一の管部２０ａの水勾配よりも大きい。【選択図】図４
2008223294.tif 000002
【特許請求の範囲】
【請求項１】
バルコニーの壁に設けられ、前記バルコニー内の水を前記バルコニー外に排水する排水ドレイン管であって、
前記壁内のバルコニー側に設けられる第一の管部と、
前記第一の管部に連通し、前記壁内から前記バルコニー外に延設される第二の管部と、
を備え、
前記第二の管部の水勾配は、前記第一の管部の水勾配よりも大きいことを特徴とする排水ドレイン管。
【請求項２】
バルコニー内の水を前記バルコニー外に排水するバルコニー排水構造であって、
孔部が形成された壁と、
前記孔部に設けられた排水ドレイン管と、
を備え、
前記排水ドレイン管は、
前記壁内のバルコニー側に設けられる第一の管部と、
前記第一の管部に連通し、前記壁内から前記バルコニー外に延設される第二の管部と、
を備え、
前記第二の管部の水勾配は、前記第一の管部の水勾配よりも大きいことを特徴とするバルコニー排水構造。
【請求項３】
前記第一の管部の水勾配は、０度より大きいことを特徴とする請求項２に記載のバルコニー排水構造。
【請求項４】
前記第二の管部の水勾配は、７度以上であることを特徴とする請求項２または請求項３に記載のバルコニー排水構造。
【発明の詳細な説明】
【技術分野】
【０００１】
本発明は、バルコニー内の水をバルコニー外に排水するための排水ドレイン管およびバルコニー排水構造に関する。
【背景技術】
【０００２】
一般に、床面に防水層が形成されたバルコニーには、水勾配が設けられており、その水勾配の水下側には、排水ドレイン管が設けられている。そして、バルコニーに降った雨水などは、水勾配に沿って水下側に流れ、排水ドレイン管から適宜排水されるようになっている。
【特許文献１】特開２００１−３２９６６６号公報（図１６）
【発明の開示】
【発明が解決しようとする課題】
【０００３】
従来の排水ドレイン管の配水管には、直線パイプが使用されている。従来の排水ドレイン管の配水管は、建物床構造の制約、バリアフリー対応で要求されるバルコニー床レベルの制約などから、小さな水勾配となっており、以下の問題を有している。
（１）従来の排水ドレイン管は、水勾配が小さいため、取付下地の精度によっては逆勾配となってしまうおそれがある。
（２）従来の排水ドレイン管は、水勾配が小さいため、外壁面からの伝い水（雨水）、排水ドレイン管から排水された水などが排水ドレイン管の下側外面を伝わり、壁内への漏水を生じるおそれがある。
【０００４】
そこで、従来の排水ドレイン管を、水勾配が大きくなるように設置することが考えられる。
図６は従来の排水ドレイン管を水勾配１０度で設置した場合を説明するための側断面図、図７は従来の排水ドレイン管の設置状態を説明するための図であり、バルコニー内側から見た図、図８は従来のバルコニーの水勾配の一例を説明するための図であり、バルコニーを上から見た図である。
図６および図７に示すように、従来の排水ドレイン管１０４を排水勾配１０度で立上り壁１０６内に設置すると、排水ドレイン管１０４のバルコニー１０３側は、構造用合板１１１から２３．４［ｍｍ］も浮き上がった状態となる。それにともない、構造用合板１１１上に設けられる防水層１１３全体を２３．４［ｍｍ］の高さにすることとなり、バルコニー１０３の水上側（サッシ１０８側、図８参照）の高さが相対的に２３．４［ｍｍ］低くなってしまう。したがって、居室側へのオーバーフローのリスクが高くなってしまう。
【０００５】
ここで、水上側の高さを相対的に低くすることなく、現状と同様の水勾配を確保するためには、バルコニー１０３の出幅を短くするという対応が考えられる。しかし、出幅を短くすると、バルコニー１０３の面積を小さくしなければならない。図８に示すように、従来のバルコニー１０３には矢印のような水勾配が設けられており、その水勾配は１０／９１０に設定されている。
そのため、水上側（サッシ１０８側）の高さを２３．４［ｍｍ］高くするには、バルコニー１０３の出幅を約２．１［ｍ］短くしなければならず、このことは、バルコニー１０３の設計上の大きな制限となる。なお、現在の設計基準では、バルコニー１０３の出幅は約３．６［ｍ］までとなっているため、この制限を考慮した上で出幅を短くすると、バルコニー１０３の出幅が約１．５［ｍ］となり、実用上、考えにくいサイズとなってしまう。
【０００６】
そこで、本発明は、前記の問題を解決するためになされたものであり、バルコニーの出幅を確保しつつ、壁への漏水を抑えることが可能な排水ドレイン管およびバルコニー排水構造を提供することを課題とする。
【課題を解決するための手段】
【０００７】
前記課題を解決するための請求項１に係る発明は、バルコニーの壁に設けられ、前記バルコニー内の水を前記バルコニー外に排水する排水ドレイン管であって、前記壁内のバルコニー側に設けられる第一の管部と、前記第一の管部に連通し、前記壁内から前記バルコニー外に延設される第二の管部と、を備え、前記第二の管部の水勾配は、前記第一の管部の水勾配よりも大きいことを特徴とする。
【０００８】
ここでいうバルコニーとは、通常のバルコニーやベランダの他に、外部に通じる出入口が設けられた屋上や屋根も含むものとする。
また、第一の管部と第二の管部との連通部位の位置は、バルコニーの壁内であればよく、バルコニーの壁の外側端であってもよい。
【０００９】
前記構成によれば、排水ドレイン管において、バルコニー内側の水勾配を小さくし、バルコニー外側の水勾配を大きくすることができる。すなわち、第二の管部の水勾配が大きいので、外壁面からの伝い水（雨水）、排水ドレイン管から排水された水などが第二の管部の下側外面を伝わることを抑え、壁内への漏水を抑えることができる。また、第一の管部の水勾配が小さいので、バルコニーの出幅への影響を抑え、バルコニーの出幅を確保することができる。また、第一の管部と第二の管部との連通部位、すなわち、排水ドレイン管の屈曲部をバルコニーの壁内に位置させたことにより、第二の管部のバルコニー外側に突出する長さを抑えつつ、壁内への漏水を抑えることができる。また、簡易な構成により、バルコニーの出幅を確保しつつ、壁への漏水を抑えることができる。
【００１０】
請求項２に係る発明は、バルコニー内の水を前記バルコニー外に排水するバルコニー排水構造であって、孔部が形成された壁と、前記孔部に設けられた排水ドレイン管と、を備え、前記排水ドレイン管は、前記壁内のバルコニー側に設けられる第一の管部と、前記第一の管部に連通し、前記壁内から前記バルコニー外に延設される第二の管部と、を備え、前記第二の管部の水勾配は、前記第一の管部の水勾配よりも大きいことを特徴とする。
【００１１】
前記構成によれば、第二の管部の水勾配が大きいので、外壁面からの伝い水（雨水）、排水ドレイン管から排水された水などが第二の管部の下側外面を伝わることを抑え、壁内への漏水を抑えることができる。また、第一の管部の水勾配が小さいので、バルコニーの出幅への影響を抑え、バルコニーの出幅を確保することができる。また、第一の管部と第二の管部との連通部位、すなわち、排水ドレイン管の屈曲部をバルコニーの壁内に位置させたことにより、第二の管部のバルコニー外側に突出する長さを抑えつつ、壁内への漏水を抑えることができる。また、簡易な構成により、バルコニーの出幅を確保しつつ、壁への漏水を抑えることができる。
【００１２】
請求項３に係る発明は、請求項２に記載のバルコニー排水構造であって、前記第一の管部の水勾配は、０度より大きいことを特徴とする。
【００１３】
前記構成によれば、バルコニーの出幅をより好適に確保することができる。
【００１４】
請求項３に係る発明は、請求項２または請求項３記載のバルコニー排水構造であって、前記第二の管部の水勾配は、７度以上であることを特徴とする。
【００１５】
前記構成によれば、壁内への漏水をより好適に抑えることができる。
【発明の効果】
【００１６】
本発明によれば、バルコニーの出幅を確保しつつ、壁への漏水を抑えることができるといった優れた効果を発揮する。
【発明を実施するための最良の形態】
【００１７】
本発明を実施するための最良の形態について図面を参照しながら詳細に説明する。説明において、同一の要素には同一の番号を付し、重複する説明は省略する。
【００１８】
図１は本発明に係る排水構造を備えたバルコニーを示した斜視図、図２は図１のバルコニーを内側から見た斜視図、図３は本発明に係るオーバーフロー排水構造を備えたバルコニーを示した断面図、図４は本発明に係る排水ドレイン管を示した斜視図、図５は本発明に係る排水ドレイン管を示した側面図である。なお、本実施の形態では、木造住宅のバルコニーに排水構造（バルコニー排水構造）を設けた例を挙げて説明する。
【００１９】
図１に示すように、本実施の形態に係る排水構造（バルコニー排水構造）１は、木造住宅２のバルコニー３に形成されており、雨水などをバルコニー３の内側からバルコニー３の外側に排水する役割を果たしている。バルコニー３は、屋外床５と、この屋外床５の外周縁に立設された立上り壁６とを備えて構成されている。バルコニー３が設置される部分の外壁７には、例えば、掃出し窓用のサッシ８が設けられており、このサッシ８が、バルコニー３への出入口を構成している。
【００２０】
本実施の形態においては、屋外床５は、二階部分のバルコニー３の床を構成するとともに、一階部分の屋根を構成するものである。屋外床５は、平面視長方形状を呈しており、サッシ８が設けられた外壁７側から、バルコニー３の先端側に向かって雨水が流れるように、水勾配ｉが形成されている。なお、本実施の形態では、水勾配ｉは、外壁７からバルコニー３の先端側への一方向のみであって、水勾配ｉと直交する方向には勾配は設けられていない。
【００２１】
図３に示すように、屋外床５は、下方から順に、構造材である床組体１１と、水勾配ｉを形成するための勾配形成層１２と、防水層１３とを積層して構成されている。床組体１１は、例えば、根太１１ａや合板１１ｂなどの部材を組み合わせて構成した構造体である。勾配形成層１２は、例えば、特開平１１−１７２８６４号公報に記載されているような
側面視台形状を呈する発泡樹脂製のブロック１２ａとその上面に設けられた合板１２ｂとで構成されており、床組体１１の上面に敷設されている。防水層１３は、例えば、ＦＲＰ（Ｆｉｂｅｒ  Ｒｅｉｎｆｏｒｃｅｄ  Ｐｌａｓｔｉｃ）防水、シート防水、アスファルト防水、ウレタン塗膜防水などにより構成されている。本実施の形態では、シート防水が採用されており、勾配形成層１２の上面に防水シート１３ａが敷設され、その表面に塗布防水層１３ｂが形成され、さらにその表面に仕上げ層１３ｃが形成されている。この防水層１３には、サッシ８および後記する立上り壁６の水切り金物１８の裏面まで延出する立上り部１０が形成されている。
【００２２】
立上り壁６は、図３に示すように、角材を枠状に組み付けて構成されるフレーム１４ａと、このフレーム１４ａの厚さ方向両側に貼り付けられた合板１４ｂとで構成された枠組体１４と、この枠組体１４の両側面に貼り付けられた防水紙１５と、この防水紙１５の表面（枠組体１４の逆側の外側面）に胴縁（図示せず）を介して取り付けられた外装材１６とを有している。これら枠組体１４、防水紙１５および外装材１６の上端には、これらを上部から覆う笠木１７が設けられている。外装材１６の下端部には、水切り金物１８が設けられている。
【００２３】
図１乃至図３に示すように、水勾配ｉの水下に位置する立上り壁６の基端部には、バルコニー３に降った雨水などを排水するための排水ドレイン管４が設けられている。排水ドレイン管４は、水勾配ｉの下流側の立上り壁６の基端部に形成された貫通孔３３に挿通して設けられている。排水ドレイン管４は、図２に示すように、縦方向に延出して設けられ、横方向に所定のピッチで配設されたフレーム１４ａの縦枠１４ｃ間に配置されている。
【００２４】
図３、図４および図５に示すように、排水ドレイン管４は、横ドレイン管であり、屈曲した円筒形状を呈する排水管２０と、排水管２０の上流側端部に設けられたフランジ部２１とを備えている。
排水管２０は、立上り壁６内のバルコニー３側に設けられる第一の管部２０ａと、第一の管部２０ａに連通し、立上り壁６内からバルコニー３外に延設される第二の管部２０ｂと、を備えている。
第一の管部２０ａは、円筒形状を呈しており、フランジ部２１の嵌合用管部２１ｃに外嵌されている。第一の管部２０ａの上流側開口部は、バルコニー３の屋外床５に向けて開放されている。第一の管部２０ａの下流側開口部は、第二の管部２０ｂの上流側開口部と連通している。
第二の管部２０ｂは、円筒形状を呈しており、第一の管部２０ａに連通している。第二の管部２０ｂの上流側開口部は、第一の管部の下流側開口部と連通しており、第二の管部２０ｂの下流側開口部は、バルコニー３の外部の雨樋２２に向けて開放されている。
フランジ部２１は、排水管２０の上流側端部の開口部から上方および側方両側に延出する上部フランジ２１ａと、排水管２０の上流側端部の開口部の底部から水平方向に延出する底部フランジ２１ｂと、上部フランジ２１ａの下部に設けられた開口に連通し、底部フランジ２１ｂの反対側に延設された嵌合用管部２１ｃとで構成されている。排水ドレイン管４は、上部フランジ２１ａの裏面が枠組体１４の合板１４ｂの表面に設けられた防水シート１３ａに当接するとともに、底部フランジ２１ｂが合板１１ｂの上の防水シート１３ａに当接するように配置されている。上部フランジ２１ａおよび底部フランジ２１ｂの表面は、塗布防水層１３ｂおよび仕上げ層１３ｃによって覆われている。
【００２５】
図４および図５に示すように、第一の管部２０ａと第二の管部２０ｂとの連通部位は屈曲しており、バルコニー３の内から外に向かって、第二の管部２０ｂの排水床面（管内底面）が、第一の管部２０ａの排水床面（管内底面）よりも急勾配で下るように構成されている。すなわち、第二の管部２０ｂの水勾配ｉ２が、第一の管部２０ａの水勾配ｉ１よりも大きくなるように構成されている。
かかる排水ドレイン管４の第一の管部２０ａおよび第二の管部２０ｂは、射出成形などの手法による一体成形品として製造可能である。
【００２６】
図３に示すように、排水管２０の下流側端部は、立上り壁６から外方へ突出しており、その下方には、雨水などの排水を集めて地上に流す雨樋２２が設けられている。雨樋２２は、複数配列された排水管２０の下流側端部下方に配置された横樋２２ａと、この横樋２２ａに接続された縦樋２２ｂとで構成されている。横樋２２ａは、上部が開放された断面Ｕ字状の長尺部材にて構成され、縦樋２２ｂは、パイプ部材にて構成されている。
【００２７】
図３に示すように、オーバーフロー管３０は、排水管３１とフランジ部３２とを備えて構成されている。オーバーフロー管３０は、例えば、アルミニウムやステンレスなどの、軽量で耐錆性能に優れている材質にて形成されている。排水管３１は、断面長方形の角パイプ材にて構成されている。角パイプ材の内形寸法は、例えば、幅８５ｍｍ、高さ２０ｍｍとなっている。排水管３１の一端（上流側端部３１ａ）には、プレートから構成されるフランジ部３２が形成されている。フランジ部３２は、水平方向に長い長方形形状を呈しており、排水管３１の側面から上下左右に略同じ長さで延出するように構成されている。フランジ部３２は、排水管３１の端部に溶接にて接合されている。
【００２８】
排水管３１は、フランジ部３２に対して所定角度傾斜して形成されている。具体的には、フランジ部３２に対して直交する方向と比較して、水勾配ｉ（図１および図２参照）と同等の勾配（例えば、１／５０）あるいはそれ以上の急な勾配となるように傾斜している。
【００２９】
排水管３１は、バルコニー３の立上り壁６の壁厚よりも所定長さ長く形成されている。具体的には、図３に示すように、オーバーフロー管３０を立上り壁６に設置したときに、排水管３１の下流側端部３１ｂがバルコニー３の立上り壁６の外側の壁面（外装材１６の表面）よりも外方に突出するように構成されている。
【００３０】
フランジ部３２は、その表面に目荒し加工が施されている。具体的には、サンディングやショットブラスト加工を行うことによって、フランジ部３２の表面が目荒しされており、防水層１３（塗布防水層１３ｂ）との接合性能を高めるようになっている。
また、排水ドレイン管４の各フランジ２１ａ，２１ｂも、防水層１３（塗布防水層１３ｂ）との接合性能を高めるように、その表面に目荒し加工が施されていてもよい。
【００３１】
図３に示すように、本発明の排水構造をバルコニー３に適用するに際しては、予め立上り壁６の枠組体１４の所定の位置に貫通孔３３，３４を形成しておく。そして、まず、屋外床５の床組体１１の端部に立上り壁６の枠組体１４を立設して、床組体１１の上に勾配形成層１２を敷設する。その後、貫通孔３３に配水管２０を挿通させることにより排水ドレイン管４を設置する。
【００３２】
次に、バルコニー３の内側から、貫通孔３４にオーバーフロー管３０を挿通させる。このとき、オーバーフロー管３０のフランジ部３２が、立上り壁６の枠組体１４の表面に設けられた防水シート１３ａに当接することで、容易に位置決めが行われ、所定の位置に設置することができる。また、排水管３１は、フランジ部３２に所定角度傾斜して形成されているので、フランジ部３２を枠組体１４表面に設けられた防水シート１３ａに当接させるだけで、所定の角度で傾斜して配置されることとなる。この後、フランジ部３２と防水層１３（塗布防水層１３ｂ）とは接着されるが、フランジ部３２には目荒し加工が施されているので、防水層１３（塗布防水層１３ｂ）との接着性が高く、防水性能を向上させることができる。
【００３３】
その後、バルコニー３の内側で、フランジ部３２の上部を覆うように水切り金物１８を取り付ける。そして、水切り金物１８の上部に、防水紙１５および外装材１６を取り付ける。
【００３４】
オーバーフロー管３０の排水管３１が外装材１６を貫通する部分の隙間には、排水管３１の外周部を覆うようにシール材３６が充填されている。オーバーフロー管３０の排水管３１の下流側端部３１ｂは、外側の外装材１６から、バルコニー３の外側に向かって突出している。本実施形態では、水勾配ｉの水下に位置し、排水ドレイン管４の上部に設けられているオーバーフロー管３０は、排水管３１の下流側端部３１ｂが、横樋２２ａの上方に位置している。
【００３５】
なお、水勾配ｉに対して両側部に設けられているオーバーフロー管３０の下部には、雨樋は設けられていないが、そもそも、オーバーフロー管３０は、暴風雨などの時にしか、雨水が流れないので、雨樋はなくてもよい。
【００３６】
次に、前記構成の排水ドレイン管４および排水構造１の作用を説明する。
【００３７】
かかる排水ドレイン管４および排水構造１によれば、第二の管部２０ｂの水勾配ｉ２が第一の管部２０ａの水勾配ｉ１よりも大きいので、立上り壁６の外壁面からの伝い水（雨水）、排水ドレイン管４から排水された水などが第二の管部２０ｂの下側外面を伝わることを抑え、立上り壁６内への漏水を抑えることができる。
また、第一の管部２０ａの水勾配ｉ１が小さいので、バルコニー３の出幅への影響を抑え、バルコニー３の出幅を確保することができる。また、第一の管部２０ａと第二の管部２０ｂとの連結部、すなわち、排水ドレイン管４の屈曲部をバルコニー３の立上り壁６内に位置させたことにより、第二の管部２０ｂのバルコニー３外側に突出する長さを抑えつつ、立上り壁６内への漏水を抑えることができる。また、簡易な構成により、バルコニー３の出幅を確保しつつ、立上り壁６への漏水を抑えることができる。
【００３８】
また、排水管２０の上流側端部にはフランジ部２１が形成されているので、排水ドレイン管４の取付け作業を容易に且つ正確に行うことができる。
【００３９】
さらに、排水ドレイン管４は、フランジ部２１、第一の管部２０ａおよび第二の管部２０ｂが互いに所定角度傾斜して形成されているので、フランジ部２１を合板１１ｂ上の防水シート１３ａおよび立上り壁６に当接させて設置するといった簡単な作業で、排水ドレイン管４の位置決めを行うことができる。そして、雨水は、排水ドレイン管４の傾斜に沿ってバルコニー３の外部に流れることとなり、雨水がバルコニー３へ逆流するのを防止することができる。
【００４０】
ここで、第一の管部２０ａの水勾配ｉ１は、０度より大きいことが望ましい。このようにすることで、バルコニー３の出幅をより好適に確保することができる。なお、本実施の形態では、第一の管部２０ａの水勾配ｉ１とバルコニーの水勾配ｉとは等しい。
【００４１】
また、第二の管部２０ｂの水勾配ｉ２は、７度以上であることが望ましい。このようにすることで、立上り壁６内への漏水をより好適に抑えることができる。なお、オーバーフロー管３０の水勾配も、７度以上であることが望ましい。
【００４２】
また、第一の管部２０ａの水勾配ｉ１は、９０度未満であればよく、第二の管部２０ｂの水勾配ｉ２は、９０度未満であればよい。
【００４３】
以上、本発明を実施するための形態について説明したが、本発明は前記実施の形態に限定されず、本発明の趣旨を逸脱しない範囲で適宜設計変更が可能である。例えば、バルコニー３の水勾配ｉが従来例で説明したバルコニー１０３の水勾配と同様である場合には、排水ドレイン管４を従来例で説明した排水ドレイン管１０４と同様の位置に設置してもよい。また、底部フランジ２１ｂの厚みも適宜変更可能である。
【００４４】
また、本実施の形態では、木造住宅２に形成されたバルコニー３に、排水ドレイン管４を設けた例を挙げて説明したが、かかる排水ドレイン管４が設けられるのは、木造住宅２のバルコニー３に限られるものではなく、鉄骨造、軽量鉄骨造、鉄筋コンクリート造などの他の構造の住宅に形成されたバルコニーであっても適用できるのは勿論である。
【図面の簡単な説明】
【００４５】
【図１】本発明に係る排水構造を備えたバルコニーを示した斜視図である。
【図２】図１のバルコニーを内側から見た斜視図である。
【図３】本発明に係るオーバーフロー排水構造を備えたバルコニーを示した断面図である。
【図４】本発明に係る排水ドレイン管を示した斜視図である。
【図５】本発明に係る排水ドレイン管を示した側面図である。
【図６】従来の排水ドレイン管を水勾配１０度で設置した場合を説明するための側断面図である。
【図７】従来の排水ドレイン管の設置状態を説明するための図であり、バルコニー内側から見た図である。
【図８】従来のバルコニーの水勾配の一例を説明するための図であり、バルコニーを上から見た図である。
【符号の説明】
【００４６】
１      排水構造（バルコニー排水構造）
３      バルコニー
４      排水ドレイン管
２０ａ  第一の管部
２０ｂ  第二の管部
６      立上り壁（バルコニーの壁）
【図１】
2008223294.tif 000003
【図２】
2008223294.tif 000004
【図３】
2008223294.tif 000005
【図４】
2008223294.tif 000006
【図５】
2008223294.tif 000007
【図６】
2008223294.tif 000008
【図７】
2008223294.tif 000009
【図８】
2008223294.tif 000010